(57)【要約】  特定の方向に移動させているだけであっても、除去すべき角質に対して多方向から働きかけて、また、角質除去面に形成されている複雑な凹凸パターンによって除去すべき角質に対して多方向から、なおかつ、複雑に働きかけて、簡単に角質を除去することができ、また、除去する角質の量を調整することが可能な角質除去具。  板状体の一方の面に角質除去面が形成されている角質除去具。当該角質除去面は、前記板状体の平坦な一方の面に複数本の溝条が刻設された後に、前記板状体の他方の面から前記一方の面に向けて孔が打ち抜き形成されることにより、前記板状体の一方の面における当該打ち抜きによって形成された前記孔の周縁に前記複数本の溝条が刻設されていることに応じた凹凸部が形成されている。
2012011172.tif 000002
【特許請求の範囲】
【請求項１】
板状体の一方の面に角質除去面が形成されている角質除去具であって、
当該角質除去面は、
前記板状体の平坦な一方の面に複数本の溝条が刻設された後に、
前記板状体の他方の面から前記一方の面に向けて孔が打ち抜き形成されることにより、
前記板状体の前記一方の面における当該打ち抜きによって形成された前記孔の周縁に前記複数本の溝条が刻設されていることに応じた凹凸部が形成されている
ものであることを特徴とする角質除去具。
【請求項２】
前記複数本の溝条は、
所定の斜め方向に延びて、隣接する溝条が互いに平行になっている複数本の第一方向の溝条と、
当該第一方向の溝条が延びる方向と交叉する方向に延びて、隣接する溝条が互いに平行になっている複数本の第二方向の溝条と、
前記第一方向の溝条が延びる方向と交叉し、なおかつ、前記第二方向の溝条が延びる方向と交叉する方向に延びて、隣接する溝条が互いに平行になっている複数本の第三方向の溝条と
から構成されていることを特徴とする請求項１記載の角質除去具。
【請求項３】
打ち抜きによって形成される孔が複数個であることを特徴とする請求項１又は２記載の角質除去具。
【発明の詳細な説明】
【技術分野】
【０００１】
この発明は足の裏、踵、肘などの角質を除去する際に使用される角質除去具に関する。
【背景技術】
【０００２】
従来から角質除去具に関しては種々の提案がされている。【０００３】
例えば、特許文献１には、円形平板状の略球面の凸面に孔あるいは穴を設け、略球面の外周縁に滑り止めを備えた角質除去具が提案されている。この発明によれば、不必要な角質のみ除去し、皮膚の表皮を掻き荒らさず、目地に角質が詰まることもなく、簡単に洗い流せ、短時間で乾燥し、衛生的で、安全性、使用性に優れた角質除去具を提供することができるとされている。【０００４】
また、特許文献２には、複数の丸孔を有する金属製平板から構成されている角質除去具が提案されている。この角質除去具では、前記の複数の丸孔はパンチング処理にて打ち抜かれて形成されている。そして、パンチング処理後における金属平板の裏側の突出した部分は、隣り合う丸孔同士の間に数μｍ〜数十μｍの凹状の窪みが残るように研磨処理にて略平坦化されている。この角質除去具によれば、簡単に製造することができて、効率的に角質層だけを削り取ることができるとされている。
【先行技術文献】
【特許文献】
【０００５】
【特許文献１】特開平１１−２２５９０５号公報
【特許文献２】特開２００１−２０４６４９号公報
【発明の概要】
【発明が解決しようとする課題】
【０００６】
図１は、金属製の板状体２２にパンチング処理にて孔を打ち抜いて構成する従来の角質除去具２１について説明するものである。【０００７】
角質除去面が形成される板状体２２の一方の面２３は平坦面である。他方の面（裏側面）から矢印２０で示す方向に打ち抜いて複数の孔２６ａ、２６ｂ、・、２６ｄ、・・・を打ち抜き、一方の面２３に角質除去面を形成している。【０００８】
孔２６ａ等が打ち抜きによって形成されたことにより、角質除去面が形成される一方の面２３における孔２６ａ、２６ｂ、・、２６ｄ、・・・の周縁にはそれぞれ凹凸が形成される。この凹凸が角質除去の役割を果たすことになる。【０００９】
しかし、平坦な面２３が打ち抜かれたものであるため、各孔２６ａ、２６ｂ、・２６ｄ、・・の周縁に形成される凹凸は、ほぼ同一のサイズになる。また、前記の凹凸は、ほぼ同一のパターンで形成されるようになる。【００１０】
そこで、角質除去具２１を用いて角質除去を行なう場合、特定の方向に角質除去具２１を動かすと、当該特定方向への移動により前記凹凸で除去される角質以外の角質は除去困難であるという問題がある。また、各孔２６ａ、２６ｂ、・２６ｄ、・・の周縁に形成される凹凸のサイズ、パターンがほぼ同一であることから、除去する角質の量を調整することが難しいという問題がある。【００１１】
そこで、本発明は、特定の方向に移動させているだけであっても除去すべき角質に対して多方向から働きかけて、また、角質除去面に形成されている複雑な凹凸パターンによって除去すべき角質に対して多方向から、なおかつ、複雑に働きかけて、簡単に角質を除去することができ、また、除去する角質の量を調整することが可能な角質除去具を提案することを目的にしている。
【課題を解決するための手段】
【００１２】
本願の請求項１記載の発明は、
板状体の一方の面に角質除去面が形成されている角質除去具であって、
当該角質除去面は、
前記板状体の平坦な一方の面に複数本の溝条が刻設された後に、
前記板状体の他方の面から前記一方の面に向けて孔が打ち抜き形成されることにより、
前記板状体の前記一方の面における当該打ち抜きによって形成された前記孔の周縁に前記複数本の溝条が刻設されていることに応じた凹凸部が形成されている
ものであることを特徴とする角質除去具である。【００１３】
請求項２記載の発明は、
前記複数本の溝条は、
所定の斜め方向に延びて、隣接する溝条が互いに平行になっている複数本の第一方向の溝条と、
当該第一方向の溝条が延びる方向と交叉する方向に延びて、隣接する溝条が互いに平行になっている複数本の第二方向の溝条と、
前記第一方向の溝条が延びる方向と交叉し、なおかつ、前記第二方向の溝条が延びる方向と交叉する方向に延びて、隣接する溝条が互いに平行になっている複数本の第三方向の溝条と
から構成されていることを特徴とする請求項１記載の角質除去具である。【００１４】
請求項３記載の発明は、
打ち抜きによって形成される孔が複数個であることを特徴とする請求項１又は２記載の角質除去具である。
【発明の効果】
【００１５】
この発明によれば、特定の方向に移動させているだけであっても除去すべき角質に対して多方向から働きかけて、また、角質除去面に形成されている複雑な凹凸パターンによって除去すべき角質に対して多方向から、なおかつ、複雑に働きかけて、簡単に角質を除去することができる。また、除去する角質の量を調整することが可能な角質除去具を提供することができる。
【図面の簡単な説明】
【００１６】
【図１】従来の角質除去具を説明する図であって、（ａ）は角質除去面が形成される前の状態を表す斜視図、（ｂ）は角質除去面が形成された状態を表す斜視図、（ｃ）は角質除去面に形成された孔部の拡大平面図。
【図２】本発明の角質除去具を説明する図であって、（ａ）は角質除去面が形成されている板状体の一方の面を表す斜視図、（ｂ）は板状体の他方の面を表す斜視図。
【図３】本発明の角質除去具が作製される概略工程を説明する図であって、（ａ）は板状体の一方の面の平面図、（ｂ）は第三方向の溝条が刻設された状態の平面図、（ｃ）は更に第一方向の溝条が刻設された状態の平面図、（ｄ）は更に第二方向の溝条が刻設された状態の平面図、（ｅ）は板状体の他方の面から角質除去面が形成される板状体の一方の面に向けて複数の孔が打ち抜き形成された状態の平面図。
【図４】（ａ）本発明の角質除去具において角質除去面が形成される面に複数の溝条が刻設された状態の概略を示す一部を省略した図３（ａ）中のＡ−Ａ拡大断面図、（ｂ）は本発明の角質除去具の角質除去面に形成された孔部の概略を示す拡大斜視図、（ｃ）は本発明の角質除去具の角質除去面に形成された孔部の周縁の状態の概略を示す拡大平面図。
【発明を実施するための形態】
【００１７】
以下、添付図面を参照して本発明の好ましい実施形態を説明する。
【００１８】
本発明の角質除去具１は、金属などの材質からなる板状体２の一方の面３に角質除去面５が形成されているものである。
【００１９】
角質除去面５は、板状体２の平坦な一方の面３に複数本の溝条を刻設し、その後、板状体２の他方の面４から前記一方の面３に向けて孔６ａ、６ｂ、・、６ｄ、・・、を打ち抜き形成することにより形成されている。以下、本明細書、図面において複数の孔６ａ〜６ｄ、・・・を総称して「孔６」と表すことがある。
【００２０】
板状体２の平坦な一方の面３に複数本の溝条が刻設されていて、その後、板状体２の他方の面４から前記一方の面３に向けて孔６を打ち抜き形成する。これによって、角質除去面５が形成される板状体２の一方の面３における前記打ち抜き形成された各孔６の周縁に、前記複数本の溝条が板状体２の一方の面３に刻設されていることに応じた凹凸部がそれぞれ形成される。
【００２１】
しかも、各孔６の周縁に形成される凹凸は、複数本の溝条が刻設されている一方の面３に向けて他方の面４から打ち抜いて孔６が形成されているものであるため、複数本の溝条に応じた種々の異なるサイズで、なおかつ、種々の異なる凹凸パターンで形成されることになる。
【００２２】
これによって、本発明の角質除去具１によれば、特定の方向に移動させているだけであっても除去すべき角質に対して多方向から働きかけることが可能になる。また、角質除去面５に形成されている複雑な凹凸パターンによって除去すべき角質に対して多方向から、なおかつ、複雑に働きかけて、簡単に角質を除去することができる。また、各孔６の周縁に形成されている種々の異なるサイズで、種々の異なるパターンからなる凹凸により、除去する角質の量を調整することが可能になる。
【００２３】
本発明の角質除去具１において、前記の複数本の溝条は、延びる方向が互いに異なっている複数本の溝条から構成することが望ましい。
【００２４】
例えば、前記の複数本の溝条を、隣接する溝条が互いに平行になっている複数本の第一方向の溝条８と、隣接する溝条が互いに平行になっている複数本の第二方向の溝条９と、隣接する溝条が互いに平行になっている複数本の第三方向の溝条７とからで構成する。
【００２５】
そして、ここで、前記の複数本の第一方向の溝条８、前記の複数本の第二方向の溝条９、前記の複数本の第三方向の溝条７は、それぞれ、延びる方向が互いに異なっているようにすることが望ましい。
【００２６】
例えば、隣接する溝条が互いに平行になっている複数本の第一方向の溝条８が延びる方向と、隣接する溝条が互いに平行になっている複数本の第二方向の溝条９が延びる方向とが交差している。その上で、隣接する溝条が互いに平行になっている複数本の第三方向の溝条７が延びる方向が、第一方向の溝条８が延びる方向と交叉し、なおかつ、第二方向の溝条９が延びる方向とも交叉するようにすることが望ましい。
【００２７】
このように、それぞれ延びる方向が異なっている複数本の溝条７、８、９が刻設されている板状体２の一方の面３に向けて他方の面４から孔６が打ち抜かれると、孔６の周縁に形成される凹凸部は、極めて複雑なパターン、かつ、複雑なサイズになる。
【００２８】
この結果、より一層、効果的に角質の除去を行うことが可能になる。
【００２９】
前記において、溝条のサイズ、隣接する溝条と溝条との間隔の幅、溝条の深さなどは、製造する角質除去具の用途などに応じて種々に調整することができる。これらを種々に変更することにより、孔６の周縁に形成される凹凸部の形状、サイズを種々に変更することが可能になる。これによって、角質を取る量を調整することができる。
【００３０】
なお、打ち抜きによって形成される孔６は複数個であることが角質除去効率の観点から望ましい。
【００３１】
以下、添付図面を参照して本発明の好ましい実施例を説明するが、本発明は上述した実施形態及び後述の実施例に限られることなく、特許請求の範囲の記載から把握される技術的範囲において種々の形態に変更可能である。
【実施例】
【００３２】
金属製の板状体２を準備する（図３（ａ））。【００３３】
符号３で示される板状体２の一方の平坦な面に角質除去面５を形成すべく、板状体２の一方の面３に、板状体２の短い方の辺２ａと平行に延びる第三方向の溝条７を刻設する（図３（ｂ））。第三方向の溝条７は図３（ｂ）に図示されているように、隣接する溝条７が互いに平行になるように複数本刻設する。溝条７のサイズ、隣接する溝条７と溝条７との間隔の幅、溝条７の深さは、製造する角質除去具１の用途などに応じて種々に調整することができる。【００３４】
次に、板状体２の一方の面３に、第三方向の溝条７と交叉する第一方向の溝条８を刻設する（図３（ｃ））。図示の実施形態では、複数本の第一方向の溝条８は、図３（ｃ）中、左上側から右下側に向かう斜め方向に延びて、隣接する溝条が互いに平行になっている。ここでも、溝条８のサイズ、隣接する溝条８と溝条８との間隔の幅、溝条８の深さは、製造する角質除去具１の用途などに応じて種々に調整することができる。【００３５】
その後、板状体２の一方の面３に、第三方向の溝条７と交叉し、なおかつ、第一方向の溝条８と交叉する第二方向の溝条９を刻設する（図３（ｄ））。図示の実施形態では、複数本の第二方向の溝条９は、図３（ｄ）中、右上側から左下側に向かう斜め方向に延びて、隣接する溝条が互いに平行になっている。ここでも、溝条９のサイズ、隣接する溝条９と溝条９との間隔の幅、溝条９の深さは、製造する角質除去具１の用途などに応じて種々に調整することができる。【００３６】
次に、図２（ａ）、図４（ｂ）に符号２０で示すように、板状体２の他方の面４から角質除去面５が形成される一方の面３に向けて孔６を打ち抜き形成する。この打ち抜き形成は、例えば、パンチングによって行うことができる。図示の実施形態では、複数個の孔６をパンチングによって打ち抜き形成した（図３（ｅ））。【００３７】
前述したように、板状体２の平坦な一方の面３に３つの異なる方向に延びる複数本の溝条を刻設した（図３（ｅ））。図４（ａ）には単純化して概略断面を示したが、この結果、板状体２の一方の面３の断面には複雑な凸部１０、凹部１１が形成されている。【００３８】
そして、ここに、孔６が、裏面側から打ち抜き形成される。そこで、各孔６ａ、６ｂ、・、６ｄ、・・の周縁にそれぞれ形成される凸部１２、凹部１３は、複雑な凸部１０、凹部１１に対応し、それぞれ異なったサイズ、形状、パターンが混在した複雑なものになる。【００３９】
この結果、角質除去面５には複雑な凹凸パターンが形成される。そこで、本発明の角質除去具１は、特定の方向に移動させているだけであっても除去すべき角質に対して多方向から働きかけることができる。また、角質除去面５に形成されている複雑な凹凸パターンによって、除去すべき角質に対して多方向から、なおかつ、複雑に働きかけて、簡単に角質を除去することができる。更に、各孔６ａ、６ｂ、・、６ｄ、・・の周縁にそれぞれ形成される凸部１２、凹部１３が、それぞれ異なったサイズ、形状、パターンが混在した複雑なものになることから、角質除去具１を使用して除去することが可能な角質の量を種々に調整することが可能になる。【００４０】
本発明においては、異なる複数の方向に延びている複数本の溝条が刻設されている面に向かって、裏面側から孔を打ち抜き形成することにより、当該溝条が刻設されている面における形成された孔の周縁に、前記の複数の溝条によって形成されていた複雑な凹凸形状に対応した複雑な形状、大きさ、パターンの凹凸部を形成している。【００４１】
そこで、図３図示の実施形態では、前述した方向に延びる第一方向の溝条８、第二方向の溝条９、第三方向の溝条７を刻設したが、複数の溝条が延びる方向はこれらに限られない。例えば、第三方向の溝条７は板状体２の長い方の辺２ｂに平行に延びるように刻設することもできる。【００４２】
この実施例においては金属製の板状体２を用いたが、材質はこれに限られるものではない。角質除去具に要求される特性を備えるものであれば種々の材質のものを使用することができる。
【符号の説明】
【００４３】
１  角質除去具
２  板状体
３  板状体の一方の面
４  板状体の他方の面
５  角質除去面
６（６ａ、６ｂ、・、６ｄ、・・）  孔
７  第三方向の溝条
８  第一方向の溝条
９  第二方向の溝条
１０、１２  凸部
１１、１３  凹部
【図１】
2012011172.tif 000003
【図２】
2012011172.tif 000004
【図３】
2012011172.tif 000005
【図４】
2012011172.tif 000006
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
板状体の一方の面に角質除去面が形成されている角質除去具であって、  当該角質除去面は、    前記板状体の平坦な一方の面に複数本の溝条が刻設された後に、    前記板状体の他方の面から前記一方の面に向けて孔が打ち抜き形成されることにより、    前記板状体の前記一方の面における当該打ち抜きによって形成された前記孔の周縁に前記複数本の溝条が刻設されていることに応じた凹凸部が形成されている角質除去具であって、 前記複数本の溝条は、 所定の斜め方向に延びて、隣接する溝条が互いに平行になっている複数本の第一方向の溝条と、 当該第一方向の溝条が延びる方向と交叉する方向に延びて、隣接する溝条が互いに平行になっている複数本の第二方向の溝条と、 前記第一方向の溝条が延びる方向と交叉し、なおかつ、前記第二方向の溝条が延びる方向と交叉する方向に延びて、隣接する溝条が互いに平行になっている複数本の第三方向の溝条と から構成されていることを特徴とする角質除去具。
【請求項２】
打ち抜きによって形成される孔が複数個であることを特徴とする請求項１記載の角質除去具。
【手続補正２】
【補正対象書類名】明細書
【補正対象項目名】００１２
【補正方法】変更
【補正の内容】
【００１２】  本願の請求項１記載の発明は、  板状体の一方の面に角質除去面が形成されている角質除去具であって、  当該角質除去面は、    前記板状体の平坦な一方の面に複数本の溝条が刻設された後に、    前記板状体の他方の面から前記一方の面に向けて孔が打ち抜き形成されることにより、    前記板状体の前記一方の面における当該打ち抜きによって形成された前記孔の周縁に前記複数本の溝条が刻設されていることに応じた凹凸部が形成されている角質除去具であって、 前記複数本の溝条は、 所定の斜め方向に延びて、隣接する溝条が互いに平行になっている複数本の第一方向の溝条と、 当該第一方向の溝条が延びる方向と交叉する方向に延びて、隣接する溝条が互いに平行になっている複数本の第二方向の溝条と、 前記第一方向の溝条が延びる方向と交叉し、なおかつ、前記第二方向の溝条が延びる方向と交叉する方向に延びて、隣接する溝条が互いに平行になっている複数本の第三方向の溝条と から構成されていることを特徴とする角質除去具である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】  請求項１記載の発明は、［請求項２］  打ち抜きによって形成される孔が複数個であることを特徴とする請求項１記載の角質除去具である。
【国際調査報告】
2012011172.tif 000007
2012011172.tif 000008